(57)【要約】  百分率のような多段階で表示されるような残容量表示において、使用者に電池減りが早くなるような違和感を与えることがないことを目的とする。  実際の電池残容量に対しマイクロプロセッサ４０６により電池残量表示１段階あたりの残容量の重み付けを変更し、電池減りの違和感を与えなくできる。
2011105081.tif 000002
【特許請求の範囲】
【請求項１】
電力を供給する電池と、
前記電池の残容量を、電池容量に基づき連続的に表示する表示部と、
前記残容量表示について設けられた複数の領域と、
前記領域毎に対応し連続する複数の関数と、を備え、
各領域の前記電池容量に対する前記残容量表示の比例定数は、対応する関数によって変更される電子機器。
【請求項２】
請求項１に記載の電子機器であって、
前記変更される比例定数は、残容量表示の１段階当たりの重み付けによって表される電子機器。
【請求項３】
請求項１又は請求項２に記載の電子機器であって、
前記電池は、充放電可能な２次電池である電子機器。
【請求項４】
請求項１から請求項３のいずれか１項に記載の電子機器であって、
前記残容量表示は、百分率で表示される電子機器。
【請求項５】
請求項１から請求項４のいずれか１項に記載の電子機器であって、
前記複数の関数は１次関数である電子機器。
【請求項６】
請求項１から請求項５のいずれか１項に記載の電子機器であって、
前記複数の領域は、電池容量について１００％から０％に向かって、第１、第２、及び第３の領域を有し、
前記第１の領域において、前記比例定数は１より大きくし、
前記第２の領域において、前記比例定数は１より小さくし、
前記第３の領域において、前記比例定数は１より大きくする電子機器。
【請求項７】
請求項６に記載の電子機器であって、
前記第１の領域は、電池容量について１００％〜７０％であり、
前記第２の領域は、電池容量について７０％〜４０％であり、
前記第３の領域は、電池容量について４０％〜０％である電子機器。
【請求項８】
請求項１から請求項５のいずれか１項に記載の電子機器であって、
前記複数の領域は、電池容量について１００％から０％に向かって、第１、第２、及び第３の領域を有し、
前記第１の領域において、前記比例定数は１より大きくし、
前記第２の領域において、前記比例定数は１より小さくし、
前記第３の領域において、前記比例定数は１と略等しい電子機器。
【請求項９】
請求項８に記載の電子機器であって、
前記第１の領域は、電池容量について１００％〜４５％であり、
前記第２の領域は、電池容量について４５％〜２０％であり、
前記第３の領域は、電池容量について２０％〜０％である電子機器。
【請求項１０】
請求項１から請求項９のいずれか１項に記載の電子機器であって、
複数の比例定数を用い、満充電状態の前記電池容量と前記残容量表示とが一致し、
前記電子機器が動作できなくなるＥｍｐｔｙ状態の前記電池容量と前記残容量表示とが一致する電子機器。
【発明の詳細な説明】
【技術分野】
【０００１】
本発明は、電池残量表示を具備した携帯端末装置や携帯電話等の電子機器に関するものである。
【背景技術】
【０００２】
近年、携帯電話装置は通話機能に加えて、カメラ機能やインターネットの閲覧、ゲーム機能などが搭載され高機能化している。これに伴いユーザーはどの程度の電池容量が残っているかより詳細に情報を把握したいとの考えより多段階表示の要望が強まっている。例えば、特許文献１に記載されているようなものがあった。図５は前記特許文献に記載された従来の電池残量表示方法を示している。図５において、表示パネル５０２に残量目安値５０３、棒指標５０４、電池のマーク５０１を表示する手段を具備していた。
【先行技術文献】
【特許文献】
【０００３】
【特許文献１】日本国実用新案登録第3152832号公報
【特許文献２】日本国特開2008-139070号公報
【特許文献３】日本国特許第2597858号公報
【発明の概要】
【発明が解決しようとする課題】
【０００４】
しかしながら、前記従来の構成では、残量目安値５０３ならびに棒指標５０４は実際の電池残容量に対し等分された値であり、百分率のようなより詳細な表示を行った場合（図３）、表示の更新される回数が劇的に増加することで、特に電池残量が満充電に近い状態で使用者に電池減りが早くなるような違和感を与えるという課題があった。
【課題を解決するための手段】
【０００５】
本発明の電子機器は、電力を供給する電池と、前記電池の残容量を、電池容量に基づき連続的に表示する表示部と、前記残容量表示について設けられた複数の領域と、前記領域毎に対応し連続する複数の関数と、を備え、各領域の前記電池容量に対する前記残容量表示の比例定数は、対応する関数によって変更される。【０００６】
この構成により、領域ごとに対応する関数で表示する電池残容量を算出することで、たとえば、同じ使用状態が継続され、一定の電流負荷状態である場合、電池残量が減少する時間を長くしたり、短くしたり領域ごとに変更することができる。【０００７】
また、本発明の電子機器は、前記変更される比例定数は、残容量表示の１段階当たりの重み付けによって表される。【０００８】
また、本発明の電子機器は、前記電池は、充放電可能な２次電池である。【０００９】
また、本発明の電子機器は、前記残容量表示は、百分率で表示される。【００１０】
この構成により、電池残量表示の１段階当たりの電池容量を関数で指定することで、電池残量表示１段階、たとえば百分率表示の場合は１％に対応する電池容量を領域ごとに指定することができる。【００１１】
また、本発明の電子機器は、前記複数の関数は１次関数である。【００１２】
この構成により、電池残量を領域に分割し、領域ごとに電池残量を算出する関数を１次関数とすることで、１次関数の組み合わせで連続した電池残量表示をすることができる。【００１３】
また、本発明の電子機器は、前記複数の領域は、電池容量について１００％から０％に向かって、第１、第２、及び第３の領域を有し、前記第１の領域において、前記比例定数は１より大きくし、前記第２の領域において、前記比例定数は１より小さくし、前記第３の領域において、前記比例定数は１より大きくする。【００１４】
また、本発明の電子機器は、前記第１の領域は、電池容量について１００％〜７０％であり、前記第２の領域は、電池容量について７０％〜４０％であり、前記第３の領域は、電池容量について４０％〜０％である。【００１５】
この構成により、領域ごとの電池残量の比例定数を指定することで、たとえば、同じ使用状態が継続され、一定の電流負荷状態である場合、満充電付近すなわち、１００％〜７０％の領域では電池残量表示１段階あたりの時間が長く、電池残量が半分程度すなわち、７０％〜４０％の領域では電池残量表示１段階あたりの時間が短く、Ｅｍｐｔｙ状態付近すなわち、４０％〜０％の領域では電池残量表示１段階あたりの時間を長くすることができる。【００１６】
また、本発明の電子機器は、前記複数の領域は、電池容量について１００％から０％に向かって、第１、第２、及び第３の領域を有し、前記第１の領域において、前記比例定数は１より大きくし、前記第２の領域において、前記比例定数は１より小さくし、前記第３の領域において、前記比例定数は１と略等しい。【００１７】
また、本発明の電子機器は、前記第１の領域は、電池容量について１００％〜４５％であり、前記第２の領域は、電池容量について４５％〜２０％であり、前記第３の領域は、電池容量について２０％〜０％である。【００１８】
この構成により、領域ごとの電池残量の比例定数を指定することで、たとえば、同じ使用状態が継続され、一定の電流負荷状態である場合、満充電付近すなわち、１００％〜４５％の領域では電池残量表示１段階あたりの時間が長く、電池残量が半分程度すなわち、４５％〜２０％の領域では電池残量表示１段階あたりの時間が短く、Ｅｍｐｔｙ状態付近すなわち、２０％〜０％の領域では電池残量表示１段階あたりの時間を実際の電池残量が放電する時間と同じにすることができる。【００１９】
また、本発明の電子機器は、複数の比例定数を用い、満充電状態の前記電池容量と前記残容量表示とが一致し、前記電子機器が動作できなくなるＥｍｐｔｙ状態の前記電池容量と前記残容量表示とが一致する。【００２０】
この構成により、電池残量表示１段階あたりの電池容量を多い領域と少ない領域を組み合わせることで、実際に使用できる電池総容量は変えることなく電池残量を表示することができる。
【発明の効果】
【００２１】
以上のように、本発明によれば、百分率のような多段階で表示されるような残容量表示において、領域ごとに指定した関数を連続して組み合わせにより表示１段階あたりの残容量の重み付けを変更し、使用者の違和感を回避する効果を有する。
【図面の簡単な説明】
【００２２】
【図１】本発明の実施の形態１における電池残量の変化を示す説明図
【図２】本発明の実施の形態２における電池残量の変化を示す説明図
【図３】従来の電池残量の変化を示す説明図
【図４】本発明の実施の形態１ならびに実施の形態２における構成を説明する要部ブロック図
【図５】従来の電池残量表示を示す説明図
【発明を実施するための形態】
【００２３】
以下に、本発明の実施の形態について、図面を参照しながら説明する。
【００２４】
（実施の形態１）
図４は、本発明の電子機器における実施の形態の要部構成である。電子機器は、表示部４０１、電圧レギュレータ４０２、残量検出回路４０３、電池４０４、メモリ４０５、マイクロプロセッサ４０６、残量検出部４０７を備えている。
【００２５】
電力を供給する電池４０４と電池の残容量を表示する表示部４０１を備えた電子機器において、マイクロプロセッサ４０６は、残量検出回路４０３と残量検出部４０７より算出された実電池残容量を百分率として受け取る。
【００２６】
このとき、マイクロプロセッサ４０６は実際の電池総容量値と実際の電池残容量値を受け取り、マイクロプロセッサ４０６で百分率に変換してもよい。
【００２７】
マイクロプロセッサ４０６で受け取った実電池残容量に対し、表示部４０１に表示する残容量は比例定数により変更される。この比例定数は、メモリ４０５などの記憶装置に格納された領域ごとの関数をもとに、マイクロプロセッサ４０６によって電池残容量に対し指定を行う。
【００２８】
ここで、比例定数は実電池容量を１００等分した１段階当たりの電池容量を比例定数１とし、比例定数が１より大きいとき残容量表示の１段階当たり電池容量が前述した１００等分の１段階より大きくなり、その区間での使用時間は長くなる。また、比例定数が１より小さいとき、残容量表示の１段階当たりの電池容量が１００等分より１段階より小さくなり、その区間での使用時間は短くなる。このように比例定数によって表示する電池容量に対し重み付けを行う。
【００２９】
また、電池は充放電可能な２次電池であり、充放電の状態に関わらず前述した表示部４０１に表示される残容量は比例定数により領域ごとに１段階当たりの重み付けとして表される。
【００３０】
ここで、実際の電池残容量に対する指定の手段について、図１を用いて説明する。
図１は実電池容量（横軸）と表示部に表示する電池容量（縦軸）の関係を示しており、それぞれ、関数１の領域１０１、関数２の領域１０２、関数３の領域１０３である。
【００３１】
図１の例では満充電状態からシステムが動作できなくなるＥｍｐｔｙ状態までを領域１０１、領域１０２、領域１０３の３つの領域に分け、領域ごとに関数を指定することで電池減りの違和感を回避している。
【００３２】
つまり、関数１の領域１０１の比例定数は１より大きくし、関数２の領域１０２の比例定数は１より小さくし、関数３の比例定数は１より大きくするように重み付けを指定する。
【００３３】
図１では実際の電池残容量が１００％から約７３％までの関数１の領域１０１では、
実際の電池容量 mod ２  ＝ ０のとき
１００−｛（１００−実際の電池容量）／２｝
実際の電池容量 mod ２  ＝ １のとき
１００−｛（１００−実際の電池容量）×２−１｝
とし、
実際の電池残容量が７３％から約４０％までの関数２の領域１０２では、
実際の電池容量×２−６０
とし、
実際の電池残容量が４０％から約０％までの関数３の領域１０３では、
実際の電池容量 mod ２  ＝ ０のとき
２０−｛（４０−実際の電池容量）／２｝
実際の電池容量 mod ２  ＝ １のとき
２０−｛（４０−実際の電池容量）×２−１｝
と関数を組み合わせることで、電池残容量表示を実現している。
【００３４】
すなわち、満充電時の実際の電池容量が１０００ｍＡｈの電池であり、電池残容量を百分率で表示する場合、実際の電池容量は１０ｍＡｈ消費されることで電池残容量表示は１％減少する。これに対し、本実施の形態では、実際の電池容量が１００％〜７３.５％までは２０ｍＡｈ消費されると電池残容量は１％減少させることで、残容量表示は１００％〜８６％を表示することになり、この関数１の領域１０１では残容量の減少を遅くすることが可能である。同様に、実際の電池容量が７３.５％〜４０％までは５ｍＡｈ消費されると電池残容量は１％減少させることで、残容量表示は８６％〜２０％を表示することになり、この関数２の領域１０２では残容量の減少を早くすることが可能である。また、実際の電池容量が４０％〜０％では２０ｍＡｈ消費されると電池残容量は１％減少させることで、残容量表示は２０％〜０％を表示することになり、この関数３の領域１０３では残容量の減少を遅くすることが可能である。
【００３５】
また、前記関数の組み合わせにすることで、１００％〜８６％までの１４段階分の電池容量２７０ｍＡｈと８６％〜２０％までの３３段階分の電池容量３３０ｍＡｈと２０％〜０％までの４０段階分の電池容量４００ｍＡｈの総和は、実電池容量１０００ｍＡｈと等しくすることが可能である。
【００３６】
（実施の形態２）
図２は、本発明の実施の形態２における電池残量の変化を示す説明図である。図２では、実電池容量（横軸）と表示部に表示する電池容量（縦軸）の関係を示しており、それぞれ、関数４の領域２０１、関数５の領域２０２、関数６の領域２０３である。また、図４と同じ構成で実現することが可能であり、実際の電池残容量に対する指定の手段について、図２を用いて説明する。
【００３７】
図２の例では関数４の領域２０１の比例定数は１より大きくし、関数５の領域２０２の比例定数は１より小さくし、関数６の比例定数は１と等しくするように重み付けを指定する。
【００３８】
図２では実際の電池残容量が１００％から約４７％までの関数４の領域２０１では、
実際の電池容量 mod ２  ＝ ０のとき
１００−｛（１００−実際の電池容量）／２｝
実際の電池容量 mod ２  ＝ １のとき
１００−｛（１００−実際の電池容量）×２−１｝
とし、
実際の電池残容量が４７％から約２０％までの関数５の領域２０２では、
実際の電池容量×２−２０
とし、
実際の電池残容量が２０％から約０％までの関数５の領域２０３では、
実際の電池容量＝表示する電池残量
と関数を組み合わせることで、電池残容量表示を実現している。
【００３９】
すなわち、満充電時の実際の電池容量が１０００ｍＡｈの電池であり、電池残容量を百分率で表示する場合、実際の電池容量は１０ｍＡｈ消費されることで電池残容量表示は１％減少する。これに対し、本実施の形態では、実際の電池容量が１００％〜４７.５％までは２０ｍＡｈ消費されると電池残容量は１％減少させることで、残容量表示は１００％〜７４％を表示することになり、この関数４の領域２０１では残容量の減少を遅くすることが可能である。同様に、実際の電池容量が４７.５％〜２０％までは５ｍＡｈ消費されると電池残容量は１％減少させることで、残容量表示は４７％〜２０％を表示することになり、この関数５の領域２０２では残容量の減少を早くすることが可能である。また、実際の電池容量が２０％〜０％では１０ｍＡｈ消費されると電池残容量は１％減少させることで、残容量表示は２０％〜０％を表示することになり、この関数６の領域２０３では残容量の減少を実際の電池容量の減少と等しくすることが可能である。
【００４０】
また、前記関数の組み合わせにすることで、１００％〜７４％までの２６段階分の電池容量５２０ｍＡｈと７４％〜２０％までの５４段階分の電池容量２８０ｍＡｈと２０％〜０％までの２０段階分の電池容量２００ｍＡｈの総和は実電池容量１０００ｍＡｈと等しくすることが可能である。
【００４１】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【００４２】
本出願は、２０１０年２月２４日出願の日本特許出願（特願2010-038350）に基づくものであり、その内容はここに参照として取り込まれる。
【産業上の利用可能性】
【００４３】
本発明にかかる電池残量表示機能を備えた電子機器は、表示１段階あたりの電池容量を指定することができ、電池減りに対する使用者の違和感を回避することができる携帯電話等の用途に有用である。
【符号の説明】
【００４４】
１０１  関数１の領域
１０２  関数２の領域
１０３  関数３の領域
２０１  関数４の領域
２０２  関数５の領域
２０３  関数６の領域
４０１  表示部
４０２  電圧レギュレータ
４０３  残量検出回路
４０４  電池
４０５  メモリ
４０６  マイクロプロセッサ
４０７  残量検出部
【図１】
2011105081.tif 000003
【図２】
2011105081.tif 000004
【図３】
2011105081.tif 000005
【図４】
2011105081.tif 000006
【図５】
2011105081.tif 000007
【国際調査報告】
2011105081.tif 000008
2011105081.tif 000009